(57)【要約】      （修正有）【課題】野球競技時に加えられる強い衝撃に抗して地面に固定することができ、強い衝撃に対する緩衝作用を有し、地面に対して簡便な方法で設置及び撤去を行うことができる簡易式固定野球ベースの提供。【解決手段】野球ベース１は、地面に設置する固定具２と、固定具に装着するための空洞３ａが形成された野球ベース本体３を備え、野球ベース本体は、固定具に装着されることにより固定具に対して固定され、固定具は、弾性体である固定部品２１と、固定部品に設けられ地面に対し斜め方向のガイド穴２１ａを貫通し一方側が固定部品に接合し且つ他方側が地面に挿入される３個以上の棒状部品２２とを備える。【選択図】図１
2016202282.tif 000002
【特許請求の範囲】
【請求項１】
地面に設置する固定具と、該固定具に装着するための空洞が形成された野球ベース本体を備える野球ベースであって、
前記野球ベース本体は、前記固定具に装着されることにより前記固定具に対して固定され、
前記固定具は、弾性体である固定部品と、該固定部品を貫通し一方側が前記固定部品に接合し且つ他方側が地面に挿入される３個以上の棒状部品とを備え、
前記固定具は、該棒状部品が地面に挿入されることにより地面に固定され、
前記固定部品は、前記棒状部品を一定角度で貫通させる３個以上のガイド穴を有し、前記棒状部品は、前記ガイド穴に挿通されることにより前記固定部品を貫通し、
前記固定部品が前記棒状部品により地面に固定された時に、前記棒状部品の地面に挿入される側の先端位置を通る鉛直線と地面との交点が、前記棒状部品と地面とが交わる領域の位置よりも、前記固定部品の重心から遠い位置にあることを特徴とする野球ベース。
【請求項２】
固定部品が、更に、棒状部品を挿通可能な、ガイド穴の内側に接する摺動可能な部材を備えることを特徴とする請求項１に記載の野球ベース。
【請求項３】
棒状部品に、強度が他の部分より相対的に弱い箇所が設けられていることを特徴とする請求項１又は２に記載の野球ベース。
【発明の詳細な説明】
【技術分野】
【０００１】
本発明は、野球ベースに関する。より詳しくは、設置時に簡易な方法で地面に固定できる一塁、二塁及び三塁用の野球ベース（以下、本明細書において「野球ベース」は、一塁、二塁及び三塁の標識として用いられる野球ベースを指す。）に関する。
【背景技術】
【０００２】
スポーツとしての野球は、日本、米国、韓国、台湾及びキューバを初め、多くの国、地域で親しまれている。
野球において、野球ベースは、地面に固定して用いられる。野球ベースが地面に固定された状態において、野球ベースは、地面から一定の厚みのある高さを有し、地面を鉛直方向から見下ろす角度からは１辺が３５０〜４００ｍｍ程度の正四角形となる形状をしている。
【０００３】
野球のルールに従い、人間は、各塁を足で踏むか、体を地面に滑らせながら手で触ること等により、野球ベースに接触する。また、人間は、必要に応じ相手チームの人間より先に野球ベースに接触することを求められるため、全力で走りながら当該野球ベースを踏むこと、又は、スライディングにより野球ベースに接触すること等を行う。
そのため、野球ベースに加えられる衝撃は、大きいものとなり、野球ベースから人間に対して生じる衝撃も大きいものとなる。
人間から加えられる衝撃により野球ベースが定位置から移動しないため、野球ベースは、確実に地面に固定される必要がある。
【０００４】
また、野球ベースとの接触時に人間が負傷しないようにするためには、野球ベースは、地面に固定されつつも、強い衝撃に対する一定の緩衝作用又は固定を開放する作用を有する必要がある。
また、グラウンドを有効に活用するため、野球用グラウンドとして使用する地面に対して野球ベースを簡便な方法で設置及び撤去を行う必要がある。
【０００５】
固定機能付き野球ベースについては、安全に、かつ、確実に野球ベースをグラウンドに固定することができる固定機能付き野球ベースとして、グラウンドにアンカーボルトによって固定される固定部材と、この固定部材に被せるための凹部が底面に形成されたベース本体とから構成される固定機能付き野球ベースが知られている（特許文献１）。
しかし、上記文献記載の固定機能付き野球ベースでは、地面に対して垂直にアンカーボルトが挿入され、かつ複数のアンカーボルトが平行に固定されているため、人間が加える衝撃により、取付け部等を通じて野球ベースを固定しているアンカーボルトが地面から抜け出し、野球ベースが定位置から移動してしまうという問題があった。また、アンカーボルトが抜け出した場合、アンカーボルトの先端で人間が大きく負傷するという問題もあった。
【０００６】
また、特許文献２及び３では、裏面に多数の突起が設けられた野球ベースが開示されているところ、地面に対する固定は十分に強力なものではなく、また、地面の状態によっては、野球ベースの上面を地面に対して平行に固定することができず、却って不安定になってしまうという問題があった（特許文献２及び３）。
【先行技術文献】
【特許文献】
【０００７】
【特許文献１】特開２００１−５８０１９
【特許文献２】実開昭５７−１２８８７２
【特許文献３】実開昭５５−８５０７１
【発明の概要】
【発明が解決しようとする課題】
【０００８】
本発明は、上記従来技術の課題等について、これを解消しようとするものである。即ち、本発明は、野球において競技時に加えられる強い衝撃に抗して地面に固定することができ、強い衝撃に対する一定の緩衝作用を有し、地面に対して簡便な方法で設置及び撤去を行うことができる野球簡易式固定ベースを提供することを目的とする。
【課題を解決するための手段】
【０００９】
本発明の発明者は、鋭意研究した結果、地面に設置する固定具と、該固定具に装着するための空洞が形成された野球ベース本体を備える野球ベースであって、前記野球ベース本体は、前記固定具に装着されることにより前記固定具に対して固定され、前記固定具は、弾性体である固定部品と、該固定部品を貫通し一方側が前記固定部品に接合し且つ他方側が地面に挿入される３個以上の棒状部品とを備え、前記固定具は、該棒状部品が地面に挿入されることにより地面に固定され、前記固定部品は、前記棒状部品を一定角度で貫通させる３個以上のガイド穴を有し、前記棒状部品は、前記ガイド穴に挿通されることにより前記固定部品を貫通し、前記固定部品が前記棒状部品により地面に固定された時に、前記棒状部品の地面に挿入される側の先端位置を通る鉛直線と地面との交点が、前記棒状部品と地面とが交わる領域の位置よりも、前記固定部品の重心から遠い位置にあることを特徴とする野球ベースとすることで、上記課題を解決できることを見出した。
【００１０】
即ち、本発明は、次の（１）〜（３）に存する。
（１）  ｈ地面に設置する固定具と、該固定具に装着するための空洞が形成された野球ベース本体を備える野球ベースであって、
前記野球ベース本体は、前記固定具に装着されることにより前記固定具に対して固定され、
前記固定具は、弾性体である固定部品と、該固定部品を貫通し一方側が前記固定部品に接合し且つ他方側が地面に挿入される３個以上の棒状部品とを備え、
前記固定具は、該棒状部品が地面に挿入されることにより地面に固定され、
前記固定部品は、前記棒状部品を一定角度で貫通させる３個以上のガイド穴を有し、前記棒状部品は、前記ガイド穴に挿通されることにより前記固定部品を貫通し、
前記固定部品が前記棒状部品により地面に固定された時に、前記棒状部品の地面に挿入される側の先端位置を通る鉛直線と地面との交点が、前記棒状部品と地面とが交わる領域の位置よりも、前記固定部品の重心から遠い位置にあることを特徴とする野球ベース。
（２）  固定部品が、更に、棒状部品を挿通可能な、ガイド穴の内側に接する摺動可能な部材を備えることを特徴とする上記（１）に記載の野球ベース。
（３）  棒状部品に、強度が他の部分より相対的に弱い箇所が設けられていることを特徴とする上記（１）又は（２）に記載の野球ベース。
【発明の効果】
【００１１】
本発明によれば、設置及び撤去が容易であり、強い衝撃に抗して野球ベースを固定することができ、競技時に人間が負傷する可能性を低減することができる野球ベースを提供することができる。
【図面の簡単な説明】
【００１２】
【図１】実施形態に係る野球ベースの水平方向に沿って見た縦断面図である。
【図２】実施形態に係る野球ベースにおける、固定部品の重心、棒状部品、地面との位置関係を示す前記野球ベースの水平方向に沿って見た縦断面図である。
【図３】図１のＡ−Ａ断面を鉛直上方から見下ろした視図である。
【図４】棒状部品の他の実施形態を示す図である。
【発明を実施するための形態】
【００１３】
以下、本発明の実施形態について添付図面を参照して説明する。
なお、添付図面は、本発明の実施形態を例示するためのものであり、本発明を図示された実施形態に限定するものではない。
【００１４】
〔野球ベース１〕
実施形態に係る野球ベース１は、図１及び図２に示す通り、地面４に設置する固定具２と、固定具２に装着するための空洞３ａが形成された野球ベース本体３を備える。
野球ベース本体３は、固定具２に装着されることにより固定具２に対して固定され、固定具２は、弾性体である固定部品２１と、固定部品２１を貫通し一方側が固定部品２１に接合し且つ他方側が地面４に挿入される３個以上の棒状部品２２とを備える。
固定具２は、棒状部品２２が地面４に挿入されることにより地面４に固定される。固定部品２１は、棒状部品２２を一定角度で貫通させる３個以上のガイド穴２１ａを有する。
棒状部品２２は、ガイド穴２１ａに挿通されることにより固定部品２１を貫通し、固定部品２１が棒状部品２２により地面４に固定される。この時、棒状部品２２の地面４に挿入される側の先端位置を通る鉛直線と地面との交点４ａが、棒状部品２２と地面４とが交わる領域（棒状部品２２の差込位置）４ｂよりも、固定部品２１の重心２１ｂから遠い位置にある。
実施形態に係る野球ベース１は地面に対して固定具２が固定され、固定具２に野球ベース本体３が装着されることにより、地面４に固定される。
【００１５】
実施形態に係る野球ベース本体３は、使用時に地面４と接する面を除く外部が野球ベースの形状を有する。
野球ベース本体３は、使用時に地面４と接する面に、固定具２に装着するための空洞３ａを有する。
野球ベース本体３は、好ましくは、固定具２に対し、野球ベース本体３の空洞３ａに固定具２の地面４から突出した部分が嵌合されることにより装着される。
野球ベース本体３の空洞３ａの内表面と、固定具２の固定部品２１とに互いに固着可能で、使用後は取り外し可能な部材、例えば、面ファスナー、フック等を取り付けることにより、前記装着をより強固なものにしてもよい。
【００１６】
〔固定具２〕
前記固定具２は、少なくとも、固定部品２１と、３個以上の棒状部品２２とを備える。
実施形態に係る野球ベース１の設置時には、固定具２を先に地面４に対して固定し、その後野球ベース本体３を装着する。
固定具２は、３個以上の棒状部品が地面４に挿入されることにより、地面４に固定される。固定具２における固定部品２１には、棒状部品２２を挿通させることができるガイド穴２１ａが設けられている。
棒状部品２２が固定部品２１を貫通する角度及び位置は、ガイド穴２１ａの角度及び位置により定まる。
【００１７】
前記固定具２は、固定部品２１が棒状部品２２により地面４に固定された時に、棒状部品２２の地面４に挿入される側の先端を通る鉛直線と地面４との交点が、棒状部品２２と地面４との交点よりも、固定部品２１の重心から遠い位置にある状態で地面４に固定される。
棒状部品２２は、好ましくは、３個以上の棒状部品２２がそれぞれ互いに平行でない角度で地面４に挿入される。
【００１８】
棒状部品２２の地面４に挿入される側の先端を通る鉛直線と地面との交点４ａが、棒状部品２２と地面４とが交わる領域（棒状部品２２の差込位置）４ｂよりも、固定部品２１の重心２１ｂから遠い位置にあることにより、実施形態に係る野球ベース１に水平方向の衝撃を加えた際、棒状部品２２がより深く地面に食い込み、野球ベース１が地面４に強固に固定される。
【００１９】
〔固定部品２１〕
前記固定部品２１の材質は、一定の強度及び弾性率を有するものであれば、特に制限はない。ゴム、プラスチック、ＦＲＰ、木材等を使用することができ、弾性率の観点から、ゴムが好ましい。
実施形態に係る固定部品２１に用いられるゴムは、特に制限がなく、天然ゴム、合成ゴム、シリコーンゴム等を用いることができる。
固定部品２１の弾性率は、使用時に人間により加えられる衝撃に合わせ、適した材質を選択することにより調整することができる。
【００２０】
固定部品２１が有するガイド穴２１ａは、棒状部品２２が挿通可能な内径を有する。ガイド穴２１ａは、固定部品２１の地面４と接する面を下面として、上面から下面まで、棒状部品２２を挿通させることができる形状を有する。
ガイド穴２１ａの内側には、棒状部品２２を挿通可能な、ガイド穴２１ａの内側に接する摺動可能な部材が備えられていてもよい。前記部材を備えることにより、棒状部品２２を固定部品２１から引き抜くことが容易になり、野球ベース１の撤去を容易に行うことができる。
【００２１】
〔棒状部品２２〕
棒状部品２２の太さは、強度及び地面への挿入時の作業性から、好ましくは、３〜５０ｍｍ、より好ましくは、４〜２０ｍｍである。
棒状部品２２の長さは、地面への挿入時の作業性及び持ち運びの容易性の観点から、好ましくは、２０〜８００ｍｍ、より好ましくは、２５０〜４００ｍｍである。
【００２２】
棒状部品２２は取り替え式であってもよい。使用により棒状部品２２が破断した場合には、予め用意しておいた予備の棒状部品２２を交換して使用することができる。
また、棒状部品２２は、複数の長さ、太さ、強度のものを用意しておき、地面の状態、使用する人間が加える衝撃、想定する体の強さ等により使い分けてもよい。
【００２３】
また、棒状部品２２の強度を適度なものにすることにより、所定の強度以上の衝撃が加わった際、棒状部品２２が破断することにより野球ベースが移動し、人間の足や手等を骨折しないようにすることもできる。この場合、棒状部品２２は、所望の位置で破断し、破断箇所が尖った形状になることにより人間が負傷をしないようにするため、強度が他の部分より相対的に弱い箇所が設けられていてもよい。棒状部品２２における前記箇所は、例えば、棒状部品に設けられた小径部でもよい。小径部は、破断時の破断面が尖らないために、例えば、丸みを帯びた形状で設けられてもよい。
【００２４】
また、棒状部品２２の材質を、弾性を有するものとすることにより、使用時に人間により加えられる衝撃を緩和することができる。
棒状部品２２の形状は、一方を地面４に挿入することができ、他方を固定部品２１に接合することができるものであれば、特に制限はない。
棒状部品２２の形状は、例えば、地面４に挿入される端の反対側の端に、ガイド穴２１ａよりも大きいリング状の部分があり、固定部品２１の有するガイド穴２１ａに完全に棒状部品２２が埋没せず、更に、リング状の部分に指を通して引き抜きやすい形状となっているものでもよい。
【００２５】
前記棒状部品２２の素材は、一定の強度、耐摩耗性があれば特に制限はなく、金属、プラスチック、ＦＲＰ、木材、ゴム等を用いることができる。また、これらの材料を組み合わせてもよい。
【実施例１】
【００２６】
以下、図１〜図４に基づいて本発明の実施例を説明するが、本発明は以下の実施例に限定されない。
野球ベース１は、固定具２及び野球ベース本体３からなる。固定具２は、固定部品２１及び棒状部品２２からなる。固定部品２１には、４個のガイド穴２１ａが設けられている。
【００２７】
固定具２は、固定部品２１に設けられた４個のガイド穴２１ａのそれぞれに、４個の棒状部品２２がそれぞれ１本ずつ挿通され、且つ、棒状部品２２の一方が地面４に挿入されることにより、地面に固定されている。
棒状部品２２の地面に挿入される側でない他方の先端には、ガイド穴２１ａの径よりも大きい部分が存在し、棒状部品２２が固定部品に埋没してしまうことを防いでいる。
【００２８】
図２及び図３に示す通り、実施形態に係る野球ベース１においては、固定部品２１が棒状部品２２により地面４に固定された時に、棒状部品２２の地面に挿入される側の先端位置を通る鉛直線と地面との交点４ａが、棒状部品２２と地面とが交わる領域（棒状部品２２の差込位置）４ｂよりも、固定部品２１の重心２１ｂから遠い位置にある。
【００２９】
図４中に示された棒状部品２２’では、棒状部品２２’の地面に挿入される側でない他方の先端は、ガイド穴２１ａの径よりも大きい部分がリング２２’ａとなり、棒状部品２２’を引き抜くことを容易にしている。また、リング２２’ａとガイド穴２１ａによって位置決めされることにより、棒状部品２２’の小径部分２２’ｂは、使用時に地面付近に存在する。即ち、小径部分２２’ｂは、小径部分２２’ｂの位置で棒状部品２２’が破断した時に、破断した棒状部品２２’が、地面４又は固定部品２１から突出しない位置に存在する。
【００３０】
また、図４中に示された棒状部品２２’では、強度が他の部分より相対的に弱い箇所として小径部分２２’ｂが設けられ、棒状部品２２’の他の部分から小径部分に向かって径が細くなるように丸みを帯びたテーパー状となっている。
【産業上の利用可能性】
【００３１】
本発明の野球ベースは、成人、少年を問わず、簡易式固定野球ベースとして好適に用いられる。
【符号の説明】
【００３２】
１  野球ベース
２  固定具
２１  固定部品
２１ａ  ガイド穴
２１ｂ  重心
２２  棒状部品
２２’  棒状部品の他の形態
２２’ａ  リング
２２’ｂ  小径部
２３  ガイド穴
３  野球ベース本体
３ａ  空洞
４  地面
４ａ  棒状部品２２の地面４に挿入される側の先端位置を通る鉛直線と地面４との交点
４ｂ  棒状部品２２と地面４とが交わる領域（棒状部品２２の差込位置）
【図１】
2016202282.tif 000003
【図２】
2016202282.tif 000004
【図３】
2016202282.tif 000005
【図４】
2016202282.tif 000006
【手続補正書】
【提出日】平成28年8月12日(2016.8.12)
【手続補正１】
【補正対象書類名】特許請求の範囲
【補正対象項目名】請求項１
【補正方法】変更
【補正の内容】
【請求項１】
地面に設置する固定具と、該固定具に装着するための空洞が形成された野球ベース本体を備える野球ベースであって、
前記野球ベース本体は、前記固定具に装着されることにより前記固定具に対して固定され、
前記固定具は、弾性体である固定部品と、該固定部品を貫通し一方側が前記固定部品に接合し且つ他方側が地面に挿入される３個以上の２５０ｍｍ〜４００ｍｍの長さの直線状部分を有する棒状部品とを備え、
前記固定具は、該棒状部品が地面に挿入されることにより地面に固定され、
前記固定部品は、前記棒状部品を１個毎に一定角度で貫通させる３個以上のガイド穴を有し、前記棒状部品は、前記ガイド穴に挿通されることにより前記棒状部品のうち３個以上がそれぞれ互いに平行でない角度で前記固定部品を貫通し、
前記固定部品が前記棒状部品により地面に固定された時に、前記棒状部品の地面に挿入される側の先端位置を通る鉛直線と地面との交点が、前記棒状部品と地面とが交わる領域の位置よりも、前記固定部品の重心から遠い位置にあることを特徴とする野球ベース。
【手続補正２】
【補正対象書類名】特許請求の範囲
【補正対象項目名】請求項２
【補正方法】変更
【補正の内容】
【請求項２】
固定部品が、更に、前記棒状部品を挿通可能な、ガイド穴の内側に接する摺動可能な部材を備えることを特徴とする請求項１に記載の野球ベース。
【手続補正３】
【補正対象書類名】特許請求の範囲
【補正対象項目名】請求項３
【補正方法】変更
【補正の内容】
【請求項３】
前記棒状部品に、強度が他の部分より相対的に弱い箇所が設けられていることを特徴とする請求項１又は２に記載の野球ベース。